(57)【要約】      （修正有）【課題】略水平方向に設けられた円形パイプの鉛直荷重に対する補強を十分なものとするとともに着脱自在且つ容易な円形パイプの鉛直荷重に対する補強部材を使用するためのパイプ連結具を提供する。【解決手段】円形パイプを下方から脱着可能に狭持するパイプ連結具２００は、ばね板材よりなり、穴を設けて上方向からボルト２１４が挿通された底部２１３を有し底部から上方に延びる柄２１２及び柄から延びる円形パイプを掴む先端部２１１とから構成され、柄及び先端部を対称に配置した二又形状を有するパイプ狭持部２１０と、パイプ狭持部に対して相対的に移動することによって柄及び先端部に連続的に開閉動作をさせるパイプ絞緩部２２０と、パイプ絞緩部の下方に位置してパイプ絞緩部を保持するとともに、回動させることによりボルト２１４を上下する昇降部２３０とから構成される。【選択図】図４
0003222078.tif 000002
【実用新案登録請求の範囲】
【請求項１】
円形パイプを下方から脱着可能に狭持するパイプ連結具であって、
ばね板材よりなり、穴を設けて上方向からボルトが挿通された底部と、該底部から上方に延びる柄及び該柄から延びる円形パイプを掴む先端部とから構成され、前記柄及び前記先端部を対称に配置した二又形状を有するパイプを狭持するパイプ狭持部と、
前記パイプ狭持部に対して相対的に移動することによって前記柄及び前記先端部に連続的に開閉動作をさせるパイプ絞緩部と、
前記パイプ絞緩部の下方に位置して前記パイプ絞緩部を保持するとともに、回動させることにより前記ボルトを上下する昇降部とから構成されることを特徴とするパイプ連結具。
【請求項２】
前記ボルトはナットにより前記底部を締着していることを特徴とする請求項１記載のパイプ連結具。
【請求項３】
前記パイプ狭持部が前記パイプを狭持する際に、左右対称な前記先端部が円或いは楕円の一部の形状を形成することを特徴とする請求項１又は２のいずれかに記載のパイプ連結具。
【請求項４】
前記先端部及び前記柄はリブを有し、前記リブの水平断面の形状は円形パイプの断面の一部の形状であることを特徴とする請求項１乃至３のいずれかに記載のパイプ連結具。
【請求項５】
前記昇降部は一部が円形パイプで構成され、Ｕボルト及び仕切り板付きパイプ接続金具で構成される接続金具セットを用いて円形パイプでなる補強柱に連接されることを特徴とする請求項１乃至４のいずれかに記載のパイプ連結具。
【考案の詳細な説明】
【技術分野】
【０００１】
本考案は、植物を育成する農業用ハウス等の略水平方向に設けられた円形パイプを鉛直方向に対して補強する際に使用するパイプの連結具に関する。
【背景技術】
【０００２】
外部環境に左右されずに農作物を栽培するために、ビニールハウスなどの農業用ハウスが知られている。このような農業用ハウスは、幅方向の両側に互いに間隔を開けて左右の柱材が設けられ、これら左右の柱材の上端間に山形のアーチ材が架け渡されおり、互いに隣接する柱材又はアーチ材をそれぞれ奥行き方向(本明細書では長手方向と言う)に延びる連結材で連結して骨格部を形成し、当該骨格部に可撓性を有する樹脂フィルムを被覆して形成される。
【０００３】
このような農業用ハウスは、地域によって強風や積雪に耐えることができるように補強する必要があり、種々の補強構造が提案されている。特に、アーチ材を被覆する樹脂フィルム上の積雪などのような鉛直荷重に対して十分に補強することができ、しかも、農作業の際に邪魔になることなく簡単に取り外すことができる農業用ハウスの補強構造として、特許文献１に記載のものが公知である。特許文献１は、上端に蝶ボルトを備え下端に沈下防止板が固定されて地面に立設される外パイプと、外パイプの上端から挿入され、下端には蝶ボルト先端が進入可能な溝が軸線に沿う方向で下端に向かって半径方向内側に傾斜し、蝶ボルト先端の当たる溝底部が形成される内パイプと、逆Ｕ字の向きで上から棟パイプを挟んだＵ字ボルトの両下端が貫通して締結されることにより、棟パイプの下側に固定される支持板を有し、支持板の下面には、棟パイプより下方に向かって先細りに形成されて内パイプの上端に挿入可能な垂下部が設けられる連結部材を備えたハウス構造を開示している。
【０００４】
このような構成の補強構造によって農業用ハウスの鉛直荷重に対する補強を十分なものとすることができ、且つ、補強構造を容易に取り付け取り外しができるので、台風や積雪などの必要なときにだけ農業用ハウスを補強し、農作業などで補強構造が邪魔になる場合には簡単に取り外すことができる。
【０００５】
また、特許文献２に開示された考案では、補強柱の上端フック部を水平長手材に引っ掛けるように、フック部の垂下部と、補強柱の上端縁との間に水平長手材を挿入させ、補強柱を水平方向に移動させて、フック部の上面部と補強柱の上端との間に水平長手材を配置し、補強柱を周回り方向に回転させて、フック部の垂下部の一方の側面と、基端部の他方の側面とで前記水平長手材を挟んで固定し、ベースを地面に載置又は地中に埋設した状態で、高さ調整部を操作して、補強柱を上方に移動させて、水平長手材に補強柱の上端を当接させる。
【先行技術文献】
【特許文献】
【０００６】
【特許文献１】特開２０１７−２２５３９１号公報
【特許文献２】登録実用新案第３２０７５０４号公報
【考案の概要】
【考案が解決しようとする課題】
【０００７】
しかし、特許文献１のような構成は、農業用ハウスの骨格部の頂部に支持板と垂下部とからなる上部受け具を固定する必要があり、この上部受け具の固定作業は高所での作業となり作業負担が大きい。また、頂部への上部受け具の固定は、棟パイプを挟んだＵ字ボルトを支持板に通しねじ止めする必要があり、脚立に上って取り付ける作業が困難となる場合もある。
【０００８】
それで、特許文献２のような構成が考案されているのであるが、容易に取り付け及び取り外しができるようになっているので、風により農業用ハウスが揚力を受けてがたがたした場合に取り付けが勝手に外れてしまうという危惧がある。
【０００９】
本考案の目的は、農業用ハウス等の略水平方向に位置するパイプの鉛直荷重に対する補強を確実且つ十分にできるものであり、高所での作業をすることなく頂部のパイプを簡易且つ強固に固定支持できるパイプ連結具を提供することである。
【課題を解決するための手段】
【００１０】
上記従来技術の課題を解決するための手段として、請求項１に記載した本考案に係るパイプ連結具２００は、円形パイプ１０６ａを下方から脱着可能に狭持するパイプ連結具２００であって、ばね板材よりなり、穴を設けて上方向からボルト２１４が挿通された底部２１３を有し底部２１３から上方に延びる柄２１２及び柄２１２から延びる円形パイプ１０６ａを掴む先端部２１１とから構成され、柄２１２及び先端部２１１を対称に配置した二又形状を有したパイプを狭持するパイプ狭持部２１０と、パイプ狭持部２１０に対して相対的に移動することによって柄２１２及び先端部２１１に連続的に開閉動作をさせるパイプ絞緩部２２０と、パイプ絞緩部２２０の下方に位置してパイプ絞緩部２２０を保持するとともに、回動させることによりボルト２１４を上下する昇降部２３０とからなる。
【００１１】
請求項２に記載した考案は、請求項１に記載したパイプ連結具２００において、ボルト２１４はナット２１５により底部２１３を締着していることを特徴とする。
【００１２】
請求項３に記載した考案は、請求項１又は２のいずれかに記載したパイプ連結具２００において、パイプ狭持部２１０が円形パイプ１０６ａを狭持する際に、左右対称な先端部２１１が円或いは楕円の一部の形状を形成することを特徴とする。
【００１３】
請求項４に記載した考案は、請求項１乃至３のいずれかに記載したパイプ連結具２００において、先端部２１１及び柄２１２はリブ２１６を有し、リブ２１６の水平面断面の形状は円形パイプの断面の一部の形状であることを特徴としている。
【００１４】
請求項５に記載した考案は、請求項１乃至４のいずれかに記載したパイプ連結具２００において、昇降部２３０は一部が円形パイプ２３１で構成され、Ｕボルト１３１及び仕切り板付きパイプ接続金具１３２で構成される接続金具セット１３０を用いて円形パイプでなる補強柱１２０に連接されることを特徴としている。
【考案の効果】
【００１５】
本考案に係る請求項１〜５に記載したパイプ連結具２００は、二又形状を有するパイプ狭持部２１０とパイプ絞緩部２２０と昇降部２３０とで構成されており、更に接続金具セット１３０を用いることにより地上で補強柱１２０を回転させることで上方に配設されている円形パイプ１０６ａを着脱可能に狭持することができるので、作業者は脚立等を使うことなく、地上から補強柱１２０を設置することが容易且つ安全に行える。
【図面の簡単な説明】
【００１６】
【図１】樹脂フィルムを省略した農業用ハウスの全体構成を示す斜視図。
【図２】本考案に係るパイプ連結具を用いた補強用支柱の斜視図。
【図３】ベースジャッキの斜視図。
【図４】本考案に係るパイプ連結具の斜視図。
【図５】本考案に係るパイプ連結具の断面図。
【考案を実施するための形態】
【００１７】
以下、添付図面を参照して、パイプ連結具の実施形態について説明する。本実施形態では、円形パイプで構成された農業用ハウス１００の補強に用いることを例にして説明をする。図１は農業用ハウス１００の骨格を示す図であり、農業用ハウス１００は、幅方向の両側にお互いに間隔を開けて左右の柱材１０３が設けられ、これら左右の柱材１０３の上端の間に山形のアーチ材１０４が架け渡されおり、互いに隣接する柱材１０３はそれぞれ長さ方向に延びる連結材１０５で連結しており、また、互いに隣接するアーチ材１０４はそれぞれ長さ方向に延びる水平長手材１０６で連結して、骨格部を形成しており、骨格部は、図示しない可撓性を有する樹脂フィルムで覆われる。
【００１８】
本実施形態においては、左右それぞれ５本の柱材１０３が農業用ハウス１００の長さ方向に列設されており、それぞれの柱材１０３にアーチ材１０４が架設されている。また、左右の柱材１０３に２本ずつの連結材１０５が固定されており、また、アーチ材１０４の頂部に１本の水平長手材１０６が固定されている。農業用ハウス１００の骨格部を形成する柱材１０３、アーチ材１０４、連結材１０５、及び水平長手材１０６は、図示しないが、互いが当接する位置で接続用の金具や金属製の線材により接続されている。
【００１９】
農業用ハウス１００の骨格部を形成する柱材１０３、アーチ材１０４、連結材１０５、水平長手材１０６は、例えば、鋼管などの金属製のパイプ材であるが、これに限定されるものではなく、木材や樹脂材を用いて形成されていてもよい。また、農業用ハウス１００の骨格部の形状はこれに限定されるものではなく、例えば、骨格部の上部は、湾曲するアーチ材１０４に変えて２本の直線状のパイプ材を左右の柱材１０３の上端からそれぞれ斜め上方に向い合うように配置して、山形に形成してもよい。なお、骨格部には、図示しないが、適宜、筋交を設けるなどの補強を加えてもよい。
【００２０】
また、樹脂フィルムは、例えばポリ塩化ビニルを用いることができるが、ポリオレフィンやフッ素樹脂などの他の樹脂製であってもよい。なお、農業用ハウス１００は、一般にビニールハウスと呼ばれるが、被覆する樹脂フィルムが必ずしもポリ塩化ビニルに限定されるものではないので、本実施形態においては農業用ハウス１００としている。
【００２１】
そして、農業用ハウスの補強部材１０１は、図１に示すように、農業用ハウス１００の骨格部のアーチ材１０４の頂部に沿って設けられている水平長手材１０６に固定されて、水平長手材１０６の鉛直荷重を支える。農業用ハウス１００の補強部材１０１は、図２に示すように、農業用ハウス１００を設置した地面に載置され、高さ調整機能が付加されたベースジャッキ１１０と、ベースジャッキ１１０から上方に向かって立ち上がる補強柱１２０と、補強柱１２０に接続されて支持され、補強柱１２０の上端に接続金具セット１３０を介して取り付けられるパイプ連結具２００とから構成されている。
【００２２】
ベースジャッキ１１０は図３に示すように、地面に載置して上面から突出する雄ネジ１１１と雄ネジ１１１の周囲を回動することにより高さを調整する高さ調整ハンドル１１２と自立可能な金属製の矩形平板状のベース１１３から構成されている。ベース１１３の４隅にはそれぞれ貫通孔１１４が形成されており、この貫通孔１１４によって図示しないがアンカーとなる部材に係留することもできる。なお、ベース１１３は本実施形態では地面に載置しているが、地中に埋設させたほうが農業用ハウス１００の補強部材１０１を安定させることができる。また、ベース１１３の形状はこれに限定するものではなく、農業用ハウスの補強部材１０１を安定的に立設させることができる形状であれば、どのような形状であってもよい。
【００２３】
ベースジャッキ１１０は、図３に示すように、下端がベース１１３の上面の中央に溶接されて上方に突出する雄ネジ１１１と、雄ネジ１１１に螺着する高さ調整ハンドル１１２とにより構成されている。高さ調整ハンドル１１２はナット部１１２ａとレバー部１１２ｂで構成されており、周回り方向に回転させることによって、雄ネジ１１１に対して上下に移動する。ナット部１１２ａの外周面には外周方向に突出する円錐状若しくは棒状のレバー部１１２ｂが設けられており、作業者がこのレバー部１１２ｂを把持して、ナット部１１２ａを周回り方向に回転させることができる。図示してはいないが、ナット部１１２ａの内周面はねじが切られているとともに、補強柱１２０のパイプは雄ネジ１１１を下から挿入した状態で、レバー部１１２ｂの上面で補強柱１２０を受け止める面を有している。
【００２４】
補強柱１２０は水平長手材１０６よりも径の大きな鋼製の単管パイプである。補強柱１２０の外径は例えば４８．６ｍｍであり、内径は４３．８ｍｍである。雄ネジ１１１はねじ山の径が例えば４２ｍｍであり、補強柱１２０を内部に挿入可能となっている。図２及び図３とで示すように、補強柱１２０は雄ネジ１１１を下端から内挿しており、補強柱１２０の下端がナット部１１２ａの上面に設けられた段部に載置されている。ナット部１１２ａは上述のように雄ネジ１１１に螺着しており、レバー部１１２ｂを周回り方向に回転させることにより上下に移動するので、ナット部１１２ａの段部に載置されている補強柱１２０もナット部１１２ａの上下動に伴って、上下に移動し、農業用ハウス１００の補強部材１０１全体の長さを伸縮させることができる。
【００２５】
図２に示すように、補強柱１２０の上端には、Ｕボルト１３１ａ、１３１ｂと仕切り板付きパイプ接続金具１３２とからなる接続金具セット１３０を取り付けて、異径或いは同径のパイプを接続できるようにしている。接続金具セット１３０の上部には図４に示すパイプ連結具２００が絞結されている。
【００２６】
パイプ連結具２００は、図４に示すようにパイプ狭持部２１０、パイプ絞緩部２２０及び昇降部２３０から構成されている。パイプ狭持部２１０は、ばね材の平板をプレス加工して得られた一体もので、火はさみ或いはトングと呼ばれるはさみの形状をしており、絞り加工が施されている先端部２１１、柄２１２及びボルト２１４を挿通する穴を設けた底部２１３で構成されている。先端部２１１と柄２１２のリブ２１６の水平断面の形状は円形パイプの部分形状で強度を付加するために施されている。ばね材はＳＵＳ３０４ＣＳＰを用いるのが適している。ばね材を使わない場合は、パイプ狭持部２１０がパイプを緊合した後に緩めた場合に開かなくなってしまう。
【００２７】
図５はパイプ連結具２００の断面図である。図５に示すように、底部２１３とボルト２１４はナット２１５により絞着される。ナット２１５を使わなくてもボルト２１４の空回転を止めることができていれば良い。
【００２８】
パイプ絞緩部２２０は、図５に示すように、鋼管パイプ２２１の両端をフレア加工してある。フレア２２２は、柄２１２のリブ２１６の背と点接触しボルト２１４の昇降に応じて滑動し、先端部２１１を広げたり狭めたりさせることができる。
【００２９】
昇降部２３０は、図５に示すように鋼製の円形パイプ２３１の上端に蓋２３２を熔着し、蓋２３２にボルト２１４を挿通する穴を設けるとともに、ナット２３３を熔着している。ナット２３３はボルト２１４に枢着している。また、蓋２３２の円周部にはフレア２３４を上向きに付けている。このフレア２３４により鋼管パイプ２２１の位置が規制され、昇降部２３０が回転したときにパイプ絞緩部２２０が蓋２３２から外れることを無くすることができる。
【００３０】
ナット２３３にはボルト２１４が螺入した状態にあり、昇降部２３０の円形パイプ２３１を回転させることにより、ボルト２１４を上下させ、パイプ狭持部２１０を上下させる。ばね材でできているパイプ狭持部２１０は鋼管パイプ２２１によりその開口度が規制されているので、上昇すれば開き、下降すれば閉じる動作をする。パイプ狭持部２１０は、好適には外径が１９乃至４８ｍｍのパイプを狭持する。従い、先端部２１１はパイプを狭持した状態で部分円形もしくは部分楕円を作る形状が好ましい。昇降部２３０の鋼製の円形パイプ２３１を回転させてボルト２１４を締め下げることにより、円形パイプ１０６ａは先端部２１１によって固持される。
【００３１】
次に図２に示すベースジャッキ１１０、補強柱１２０、接続金具セット１３０とパイプ連結具２００を使って農業用ハウス１００の水平長手材１０６を補強する手順を説明する。パイプ連結具２００は、接続金具セット１３０を用いて補強柱１２０に連接させた状態にし、ベースジャッキ１１０を設置場所に置いて高さ調整ハンドル１１２を下げておく。次に、パイプ狭持部２１０を手で回して緩めた状態にしておいて、補強柱１２０の下端にベースジャッキ１１０の雄ネジ１１１を内挿し、補強柱１２０を鉛直に立てる。次に補強柱１２０を持ち上げて先端部２１１を上方の円形パイプ１０６ａを挟む位置に当てて、補強柱１２０を回転することによって昇降部２３０を回してパイプ狭持部２１０を締める。このようにすることによって、パイプ連結具２００が上部の円形パイプ１０６ａと補強柱１２０とが結合した状態になる。次に、ベースジャッキ１１０の高さ調整ハンドル１１２を回して補強柱１２０が適切な力で水平長手材１０６を補強できるように調整する。
【００３２】
本実施形態では鉛直方向に掛かる荷重を補強することを例にとって説明したが、本考案のパイプ連結具２００は、補強される円形パイプ１０６ａと補強柱１２０が直角に交差するようにすれば斜め又は横方向の圧縮荷重を補強する場合にも使用できる。また、接続金具セット１３０にＵボルト１３１を使用して補強柱１２０に円形の鋼管パイプを使用した例を示したが、Ｕボルト１３１の代わりに角パイプ用ボルトを使用すれば、補強柱として角型の鋼管パイプを使用することも可能である。なお、本考案を実施するための形態は上述の形態に限ることなく、本考案の思想の範囲を逸脱しない範囲で適宜変更することができることは云うまでもない。
【産業上の利用可能性】
【００３３】
本考案のパイプ連結具２００は、例えば積雪地域や強風地域における農業用ハウス１００を補強する際に補強柱１２０と水平長手材１０６とを連結する部材として好適に用いることができる。
【符号の説明】
【００３４】
１００  農業用ハウス
１０１  補強部材
１０６  水平長手材
１１０  ベースジャッキ
１２０  補強柱
１３０  接続金具セット
２００  パイプ連結具
２１０  パイプ狭持部
２１１  先端部
２１２  柄
２１３  底部
２１４  ボルト
２１５  ナット
２２０  パイプ絞緩部
２３０  昇降部
【図１】
0003222078.tif 000003
【図２】
0003222078.tif 000004
【図３】
0003222078.tif 000005
【図４】
0003222078.tif 000006
【図５】
0003222078.tif 000007
【手続補正書】
【提出日】平成31年4月24日(2019.4.24)
【手続補正１】
【補正対象書類名】実用新案登録請求の範囲
【補正対象項目名】全文
【補正方法】変更
【補正の内容】
【実用新案登録請求の範囲】
【請求項１】
被補強円形パイプを下方から脱着可能に狭持するパイプ連結具であって、
ばね板材よりなり、穴を設けて上方向からボルトが挿通された底部と、該底部から上方に広がって延びる柄及び該柄から延びる前記被補強円形パイプを掴む先端部とから構成され、前記柄及び前記先端部を対称に配置した二又形状を有して前記被補強円形パイプを狭持するパイプ狭持部と、
端部にフレアを有したパイプで構成され、前記パイプ狭持部の前記柄を昇降可能に収納するとともに前記フレアが前記パイプ狭持部を開閉するパイプ絞緩部と、
前記パイプ絞緩部の下方に位置して前記パイプ絞緩部を保持するとともに、回動させることにより前記ボルトを上下する昇降部とから構成されることを特徴とするパイプ連結具。
【請求項２】
前記ボルトはナットにより前記底部を締着していることを特徴とする請求項１記載のパイプ連結具。
【請求項３】
前記パイプ狭持部が前記パイプを狭持する際に、左右対称な前記先端部が円或いは楕円の一部の形状を形成することを特徴とする請求項１又は２のいずれかに記載のパイプ連結具。
【請求項４】
前記先端部及び前記柄はリブを有し、前記リブの水平断面の形状は円形パイプの断面の一部の形状であることを特徴とする請求項1乃至3のいずれかに記載のパイプ連結具。
【請求項５】
前記昇降部は一部が円形パイプで構成され、Ｕボルト及び仕切り板付きパイプ接続金具で成される接続金具セットを用いて円形パイプでなる補強柱に連接されることを特徴とする請求項１乃至４のいずれかに記載のパイプ連結具。
【手続補正２】
【補正対象書類名】明細書
【補正対象項目名】００１０
【補正方法】変更
【補正の内容】
【００１０】
上記従来技術の課題を解決するための手段として、請求項1に記載した本考案に係るパイプ連結具２００は、被補強円形パイプ１０６ａを下方から脱着可能に狭持するパイプ連結具２００であって、ばね板材よりなり、穴を設けて上方向からボルト２１４が挿通された底部２１３と、底部２１３から上方に広がって延びる柄２１２及び柄２１２から延びる被補強円形パイプ１０6ａを掴む先端部２１１とから構成され、柄２１２及び先端部２１１を対称に配置した二又形状を有して前記被補強円形パイプ１０６ａを狭持するパイプ狭持部２１０と、端部にフレア２２２を有したパイプ２２１で構成され、前記パイプ狭持部２１０の前記柄２１２を昇降可能に収納するとともに前記フレア２２２が前記パイプ狭持部２１０を開閉するパイプ絞緩部２２０と、パイプ絞緩部２２０の下方に位置してパイプ絞緩部２２０を保持するとともに、回動させることによりボルト２１４を上下する昇降部２３０とからなる。